(57)【要約】独立型モニターへデジタル画像を直接転送する手段、独立型モニターの表示スクリーンにデジタル画像を表示する手段、並びに表示スクリーンへのデジタル画像の転送及び表示を制御するための手段を含んで、ＰＣを必要とせずに高解像度デジタル画像を見るための独立型モニター。一つの実施態様において、画像は、デジタルカメラのような無線画像供給源から受理される。別の実施態様において、画像は、スマートメディアのような電子記憶媒体から読まれる。モニター上の画像を見ることは、キーパッド若しくは遠隔制御等を介して、ユーザーによって制御される。キーパッド及びリーダー／レシーバーはモニターに直接統合されるか、若しくは個別の包囲内のインターフェイスとして実行される。
2004509527.tif 000002
【特許請求の範囲】
【請求項１】
インターフェイスを有する独立型モニターであって、
記憶媒体に記憶されたデジタル画像を読み取る記憶媒体リーダーと；
前記独立型モニターの表示スクリーンに表示するために前記読み取られたデジタル画像を処理及び転送するコントローラーと；並びに
前記表示スクリーンの前記デジタル画像の読み取り及び表示を制御する前記コントローラーに指令を発することを可能にすることが操作可能なユーザーインターフェイス、
からなることを特徴とする独立型モニター。
【請求項２】
前記デジタル画像は前記記憶媒体リーダーによって読まれ、前記表示スクリーンに記憶及び表示するために前記独立型モニターの画像バッファーに転送されることを特徴とする請求項１に記載のモニター。
【請求項３】
少なくとも前記コントローラー若しくは前記画像バッファーが、前記独立型モニター内で、前記インターフェイスに関係なく、作業を実行するために使用されることを特徴とする請求項２に記載のモニター。
【請求項４】
前記コントローラーは、前記表示の信号入力と互換性であるフォーマットに前記読み取られたデジタル画像を処理することを特徴とする請求項１に記載のモニター。
【請求項５】
前記ユーザーインターフェイスで前記記憶媒体の少なくとも前記表示された画像若しくは前記記憶されたデータをユーザーが操作することを可能にすることを特徴とする請求項１に記載のモニター。
【請求項６】
前記ユーザーインターフェイスで、前記記憶媒体に記憶された前期データの削除若しくは保護、又は複数画像の前記表示を順番に配列、又は前記画像のサイズの変更、又は前記画像の回転、又は前記画像の映し、又は前記画像に関した原文情報の表示、又は前記画像の簡潔な眺めの表示の前記画像操作の少なくとも一つをユーザーが実行することが可能であることを特徴とする請求項５に記載のモニター。
【請求項７】
前記若くなくとも一つの操作が前記ユーザーインターフェイスによるスクリーン上のメニューの選択を介して実行されることを特徴とする請求項６に記載のモニター。
【請求項８】
前記デジタル画像を表示するための前記表示スクリーンが、陰極線管表示（ＣＲＴ）、デジタルＣＲＴ、液晶表示（ＬＣＤ）、ＴＶ、投影装置及びエレクトロルミネセンス表示（ＥＬＤ）から構成されるグループから選択されることを特徴とする請求項１に記載のモニター。
【請求項９】
前記記憶媒体が、スマートメディア、小型フラッシュメモリ、ミニディスク、ジップディスク、メモリスティック、ＰＣＭＣＩＡ（パーソナルコンピューターメモリカード国際協会）カード、コンパクトディスク（ＣＤ）、記録可能なＣＤ（ＣＤ−Ｒ）、再書き込み可能なＣＤ（ＣＤ−ＲＷ）、デジタル多様性ディスク（ＤＶＤ）及びＨＤＤから構成されるグループから選択されることを特徴とする請求項１に記載のモニター。
【請求項１０】
前記記憶媒体リーダーが、二つ以上の異なる記憶媒体型の読み取りを可能にすることを特徴とする請求項１に記載のモニター。
【請求項１１】
インターフェイスを有する独立型モニターであって、
無線の画像供給源から前記インターフェイスにより転送されるデジタル画像を受理するために一般的手法及びプロトコルを介して前記無線の画像供給源と無線通信する、無線通信ポートと；及び
前記独立型モニターの表示スクリーンに表示するために前記受理されたデジタル画像を処理及び転送するコントローラー、
からなることを特徴とするインターフェイスを有する独立型モニター。
【請求項１２】
前記ユーザーインターフェイスで、前記表示スクリーンの前記デジタル画像の受理及び表示を制御するための前記コントローラーに、ユーザーが指令を発することを可能にすることをさらに含む請求項１１に記載のモニター。
【請求項１３】
前記無線通信ポートが、前記一般的手法及びプロトコルとして赤外線（ＩＲ）信号を用いて前記無線画像供給源と通信することを特徴とする請求項１１に記載のモニター。
【請求項１４】
前記無線通信ポートが、前記一般的手法及びプロトコルとして無線周波数（ＲＦ）信号を用いて前記無線画像供給源と通信することを特徴とする請求項１１に記載のモニター。
【請求項１５】
前記無線画像供給源が、デジタルカメラ、スキャナー、ラップトップコンピューター及びカムコーダーから構成されるグループから選択されることを特徴とする請求項１１に記載のモニター。
【請求項１６】
前記表示スクリーンに前記デジタル画像の受理及び表示の制御のための前記コントローラーに指令を発する前記無線通信ポートと無線で通信するための遠隔制御装置をさらに含むことを特徴とする請求項１１に記載のモニター。
【請求項１７】
前記インターフェイスが、前記独立型モニターから分離する包囲に位置し、ケーブルを介して画像を表示および操作するために前記独立型モニターと通信することを特徴とする請求項１１に記載のモニター。
【請求項１８】
前記インターフェイスはまた、第二ケーブルを介しＰＣと通信して、該インターフェイスは、ＰＣモードでＰＣから前記モニターにビデオ信号を発送し、インターフェイスモードで前記インターフェイスから前記モニターへの前記ビデオ信号の発信を作用することを特徴とする請求項１７に記載のモニター。
【請求項１９】
独立型モニターのためのインターフェイスであって、
記憶媒体に記憶されるデジタル画像を読み取る記憶媒体リーダーと；
遠隔制御装置から前記インターフェイスによる転送された指令を受理するために一般的手法及びプロトコールを介して前記遠隔制御装置と無線通信する無線通信ポートと；
前記無線通信ポートから指令を受理する操作を可能にするレシーバーと；
前記レシーバーにより供給される前記指令をデコードするデコーダーと；及び
前記デコードされた指令を処理及び実行し、並びに前記独立型モニターの表示スクリーンに表示するために読み取られたデジタル画像を処理及び転送するコントローラー、
からなることを特徴とする独立型モニターのためのインターフェイス。
【発明の詳細な説明】
【０００１】
発明の分野
本発明は、独立型モニターに関し、より詳細には、パーソナルコンピューターを必要とせずに独立型モニターに直接デジタル写真ファイル画像を表示するための手段に関する。
【０００２】
関連技術の詳細
デジタル写真は、今日において、一般化し非常に普及している。増大する使用者は、高い利便性、写真を即時に見ること、経済性及び写真の編集能力のようなデジタル写真媒体によって提供される多くの利点を享受している。
【０００３】
デジタル写真能力を伴うデジタルカメラ若しくはカムコーダー（ｃａｍｃｏｄｅｒ）は、デジタル写真ファイルとして写真画像をフラッシュメモリーのような電子記憶媒体に記憶する。一般的には、画像は、カメラを含むカラー液晶（ＬＣＤ）で見ることが可能である。使用者は、撮像後にデジタル画像を利便的に見て、電子記憶媒体に記憶後に、所望でない画像を消去するオプションを有している。
【０００４】
ＬＣＤサイズは、デジタルカメラの小型の特質により制限されている。この理由のために、使用者は画像を、一般的にコンピューターモニターで見るためのケーブル若しくは数多の他の適切な手段の何れかによってパーソナルコンピューター（ＰＣ）へ転送する。数多のデジタルカメラは、使用者が画像をテレビで見るために転送することを許容する。モニター若しくはテレビは、使用者が画像をより詳細に見ることを許容する、デジタル画像（これより後は画像とする）を見るために著しく大きな見るエリアを提供し、ＰＣの場合、後に所望のような検索と編集のためにＰＣ内に画像を任意に記憶する。
【０００５】
しかしながら、ＰＣを介して画像を見ることは数多の欠点を有する。第一に、使用者は明らかにＰＣを所有することを必要とされ、ＰＣは画像をカメラからＰＣへの画像の転送を許容する適切なインターフェイスを有するべきである。第二に、使用者はＰＣをブートアップ（ｂｏｏｔ　ｕｐ）することを要求され、ダウンロード及び画像を見ることを可能にするためにＰＣに専門のソフトウェアをロードすることを要求され、不便な遅れとなる。第三に、使用者は画像をナビゲートするために様々なキーボード及び／若しくはマウスの指令を学ぶことを必要とする。
【０００６】
さらに、テレビで画像を見ることも欠点を有する。テレビは、低い解像度を提供し、それによって大きい表示能力を探し求めるための主要な理由に遭遇する。
【０００７】
また別の代替は、使用者が専用の見る装置を購入することを要求する。しかしながら、見る装置は比較的高価で画像を見る単一の作業に制限され、平均的な消費者にとって超過したコストとなる。
【０００８】
発明の概要
したがって、本発明の目的は、転送し高解像度の写真画像を直接見る（ＰＣを必要としないで）ためのインターフェイスを伴う独立型のモニターを提供することである。
【０００９】
本発明の別の目的は、便利で、時間を節約して、コスト効果的な手法で高解像度写真画像を見るための独立型モニターを提供することである。
【００１０】
前述の目的を達成するために、本発明と一致する独立型モニターは、独立型モニターへのデジタル画像の直接転送を制御するインターフェイスと；及び適切なユーザーインターフェイスを介して入力された使用者の指令と一致して転送されたデジタル画像を表示する表示スクリーンを含んでいる。ユーザーインターフェイスは、キーボード、マウス若しくはスクリーンを触れる機能で、好ましくは適切な相互作用のグラフ式のメニューの組み合わせからなる。
【００１１】
一つの実施態様において、画像は、デジタルカメラのような無線の画像供給源からインターフェイスによって受理される。別の実施態様においては、画像は、小型フラッシュ若しくはハードディスクドライブ（ＨＤＤ）のような電子記憶媒体からのインターフェイスによって読み取られる。モニターで画像を見ることは、インターフェイスのキーパッドを介して使用者によって制御され、及び／若しくは無線通信が採用される場合は遠隔で制御される。本発明の別の実施態様において、独立型モニターは電子記憶媒体に記憶されているデジタル画像を読み取る電子記憶媒体リーダーを含むインターフェイスを有する。コントローラーは、独立型モニターの表示スクリーン上に表示するための読み取られたデジタル画像を処理及び転送し、キーパッドは表示スクリーン上のデジタル画像の読み取り及び表示を制御するためのコントローラーに指令を発する。キーパッド及びリーダー／レシーバーはモニターに直接統合されるか、若しくは個別の包囲内のインターフェイスとして実行される。ＰＣを伴って使用される表示モニターは一般的にオンボードコントローラー及びフレームバッファーを有するため、本発明は独立型モニターにデジタル画像を表現するために機能性を伴う前述の供給源を好ましく分ける。
【００１２】
本発明の前述及び他の目的、特質及び利点は、本発明の付属の図面と共に得られた典型的な実施態様の次の詳細な記載に照らしてより明白になるだろう。
【００１３】
好ましい実施態様の詳細な記載
図を見ると、図表を通して同様な若しくは同一の要素を認識する参照数字及び共通して周知の構成部分及び機能は、発明を不明瞭にすることを回避するために省略され、本発明と一致する独立型モニターは、独立型モニターへのデジタル画像の直接的な転送を制御するインターフェイス及びインタオフェースを伴って含んでいるキーパッド若しくは別の適切な使用者が入力する手段を介して入力される使用者の指令と一致した転送されたデジタル画像を表示する表示スクリーンを含んでいる。
【００１４】
図１を参照するに、独立型モニター１００が示されている。独立型モニター１００は、少数の指定する、デジタル陰極線管（ＣＲＴ）表示型、液晶（ＬＣＤ）若しくはエレクトロルミネセンス表示（例えば、全色カラープラズマディスプレイ）である。本発明はまた、デジタルモニターによって提示される改善された画質を実現せずに、アナログＣＲＴモニター、ＴＶ，若しくは投影装置と共に同様に実行される。用語としてのモニターは、総称的に前述のすべての項目を記載するために下記において使用されるであろう。モニター１００は、リーダー１２０及びキーパッド１１０から構成されるインターフェイス１３０を含んでいる。リーダー１２０は、電子記憶媒体１４０（ここより後では記憶装置）に記憶される画像を読み取る。記憶装置１４０は、現在は多くの種類が可能であり、例えば、スマートメディア、小型フラッシュ、ミニディスク（ＭＤ、ＺＩＰ、若しくはＰＣＭＣＩＡ）、ＰＣＭＣＩＡカード、メモリースティック、若しくはＨＤＤモジュール等のようなものである。リーダー１２０はまた、光学的読み取りメディア記憶装置１４０の形態になり、例えば、コンパクトディスク（ＣＤ）、読み取り可能なＣＤｓ（ＣＤ−Ｒ）、書き込み可能なＣＤｓ（ＣＤ−ＲＷ）、及びデジタル多様化ディスク（ＤＶＤ）のようなものであるかもしれない。リーダー１２０は、使用される特定の記憶装置１４０を読み取るために設計される。追加的なリーダー１２０若しくは複数の記憶装置型リーダーは、一つ以上の記憶装置型を読み取るために採用される。
【００１５】
記憶装置１４０は、デジタルカメラ、スキャナー、デジタル写真機能を伴うカムコーダーによって、若しくは別の画像供給源によって記憶装置１４０に記憶される画像ファイルを含んでいる。例えば、使用者は、スマートメディアがインストールされたデジタルカメラで一連の写真を撮像する。次いで、スマートメディアはデジタルカメラから削除されて、リーダー１２０に挿入される。リーダー１２０は、モニター１００に表示するためのスマートメディアから画像を読み取る。
【００１６】
モニター１００はまた、記憶装置１４０に記憶される様々な画像を使用者がナビゲートすることを許容する、キーパッド１１０で装備されている。キーパッド１１０を用いて、例えば、使用者は記憶装置１４０及び表示の画像及びデータを操作し、一つの画像を前後に移動し、選択された画像を拡大し、選択された画像のサイズを変更し、及び拡大された画像によってスクロールする。使用者はまた、モニター１００を、周期的な基準で画像を自動的に配列するスライドショーモード、入力モード（ＰＣ若しくは記憶装置）間のスイッチ、表示への簡潔な眺めの表示、記憶装置からの原文情報（ｔｅｘｔｕａｌ　ｉｎｆｏｒｍａｔｉｏｎ）の表示にセットし、及び画像の配列を操作し、画像のサイズを変更し、画像を回転し、画像を映す等の操作をする。前述の機能は、キーパッド１１０のボタンに割り当てられるか、若しくはキーパッド１１０のボタンによってスクリーン上のメニューによってナビゲートすることによりアクセスすることができる。
【００１７】
図５を参照するに、ブロック図形は、図１のインターフェイス１３０の実施例の例証をより詳細に示している。図５において、インターフェイス１３０は、本発明と一致するモニター１００の表示５６０部分でインターフェイスする。インターフェイス１３０は、モニター内に統合され、使用者によってリーダー内に挿入された記憶装置１４０を読み取るリーダー１２０を含む。画像データは、リーダーアクセスコントローラー５１０の制御によるリーダー１２０によって記憶装置１４０から読まれ、処理のためにコントローラー５２０に供給される。コントローラー５２０は、現行のモニターのハードウェア内で好ましく実現される。例えば、コントローラー５２０の機能は、マイクロプロセッサー及びモニター１００のグラフィックスケーラー内の供給源を共有することにより実行され、それによって、本発明の目的と一致した追加的なコストを縮減する。キーパッド１１０若しくは別の適切なユーザー入力手段は、ユーザー入力に対応する様々なルーチンを実行するコントローラー５２０を導くためにコントローラー５２０にユーザー入力を提供する。ＲＡＭ５４０は、処理情報及び画像情報の一時的な記憶を許容する。ここで再び、ＲＡＭ５４０は、モニター１００のフレームボタン内の供給源を共有することによって好ましく実現される。コントローラー５２０は、表示５６０上に表示するためのＲＡＭ５４０の待ち行列に画像データを加える。同様にして、キーパッドは共有するかもしれない。すなわち、キーパッドはまた、表示サイズ及び位置、コントラストを調節するような、モニターの別の機能を実行するために使用される。
【００１８】
操作において、画像データは、リーダー１２０及びリーダーアクセスコントローラー５１０のそれぞれを介してコントローラー５２０により記憶装置１４０から読み取られる。キーパッド１１０の制御を受けるコントローラー５２０及び使用者によってキーパッドで起動された対応する指令は、画像を読み取って処理し、ＲＡＭ５４０に処理された画像を記憶する。画像は周期的に、若しくはキーパッド１１０からの指示を介した要求で、ＲＡＭ５４０に記憶するために連続的に転送され、次いで、表示するために表示５６０に連続的に転送される。使用者はデータの読み取りを開始し、キーパッド１１０を介した表示上の画像の操作を制御する。
【００１９】
使用者は、キーパッド１１０を介して追加的な制御を実行するかもしれない。例えば、使用者は記憶された画像を削除し、同時に表示されるべき複数の画像を選択する指令を入力する等である。
【００２０】
リーダーアクセスコントローラー５１０は、コントローラー５２０の一部分である。上記に注意したように、画像データは、リーダーアクセスコントローラー５１０の制御によるリーダー１２０によって記憶装置１４０から読み取られる。コントローラー５２０及び／若しくはＲＡＭ５４０は、コントローラー５２０が画像データを、例えばディスプレイドライバーである、ディスプレイ入力要求と互換性であるフォーマット内に処理する表示５６０のためのコントローラーの一部分である。コントローラー５２０が表示５６０のためのコントローラーから分離している場合、コントローラー５２０は、ディスプレイコントローラーの入力要求と互換性である、フォーマット内に画像データを処理する。
【００２１】
インターフェイス１３０は、ＰＣの部分５８０にコントローラー５２０によって処理される画像を転送するために、任意で、ＵＳＢ、シリアル、ＩＥＥＥ１３９４等のようなＰＣインターフェイス５７０を含むかもしれない。次いで、画像は、後の検索、印刷、見ることのためにＰＣによって達成されるかもしれない。
【００２２】
図２を参照するに、モニター２００が本発明の別の実施態様と一致して示されている。図２において、インターフェイス２３０は、無線通信ポート２２０及びキーパッド１１０を含んでいる。無線通信ポート２２０は、デジタルカメラ２４０（若しくはスキャナー、若しくはデジタル写真機能を伴うカムコーダー、ラップトップコンピューター若しくは別の画像供給源）によって転送されたデジタル信号を受け取る。デジタル信号は処置の通信セットアップ、カメラに記憶された画像データの転送、及びカメラ２４０からのモニター２００を使用者が遠隔で制御することを許容する使用者が開始した制御指令を含んでいる。
【００２３】
デジタル信号は、無線周波数（ＲＦ）、赤外線（ＩＲ）若しくは当業者において既知である別の適切な通信手段を介して転送されるかもしれない。何れの事例においても、カメラ２４０のトランスミッター及び無線通信ポート２２０のレシーバーは、共通の通信手段及びプロトコルを介して通信し、使用者による利便な見ることのためにモニター２００に画像の転送を許容する。
【００２４】
キーパッド１１０は、上記に記載のように、画像の表示上に局地的なユーザーコントロールを可能にする。しかしながら、この実施態様において、無線通信を介してカメラ２４０からのモニター２００を遠隔に制御することが可能である。すなわち、使用者はデータの読み取りを開始し、カメラ２４０を介して表示上の画像の操作を制御する。
【００２５】
図６を参照するに、ブロック図形は、図２のインターフェイス２３０の実例となる実施態様の例証を示している。図６において、インターフェイス２３０は、モニター内で統合されて、本発明と一致して表示５６０を制御する。
【００２６】
インターフェイス２３０は、無線画像供給源２４０から無線通信ポート２２０を介してデジタル信号を受け取る、レシーバー６００を含んでいる。デコードされた信号は、コントローラー５２０によって処理される。キーパッド１１０は、キーパッド１１０でのユーザー入力に対応する様々なルーチンを実行するコントローラー５２０を導くためにコントローラー５２０上にユーザー制御を提供する。ＲＡＭ５４０は、処理する情報及び画像情報の一時的な記憶を許容する。コントローラー５２０は、表示５６０に表示するためのＲＡＭ５４０の待ち行列に画像データを加える。コントローラー５２０及びＲＡＭ５４０は、マイクロプロセッサー内、モニター２００のスケーラー及びフレームバッファー内で、供給源を共有することによって、好ましく実現される。
【００２７】
操作において、データは無線通信ポート２２０を介してレシーバー６００により無線画像供給源２４０から受け取られる。受理されたデータは、デコーダー６１０でデコードされ、コントローラー５２０に供給される。キーパッド１１０の制御下のコントローラー５２０及び使用者によってキーパッドで起動される対応する指令は、データを処理し、ＲＡＭ５４０に処理された画像を記憶する。コントローラー５２０は、記憶するためにＲＡＭ５４０に連続して画像を転送し、次いで表示するために表示５６０に転送する。キーパッド１１０からのデータの受け取りに加えて、コントローラー５２０はまた、無線通信ポート２２０、レシーバー６００及びデコーダー６１０を介してカメラ２４０から受理されたデータ内で遠隔ユーザー指令を受け取る。前述の事例において、使用者は、画像の転送を開始して、キーパッド１１０若しくはカメラ２４０を介して表示に画像を順番に配列し及びサイジングを制御する。
【００２８】
従来のインターフェイス（図５の）の事例のように、使用者はキーパッドを介した制御を実行する。例えば、使用者は記憶された画像を削除し、同時に表示されるべき複数の画像を選択する指令を入力する等である。加えて、デコーダー６１０はコントローラー５２０の一部分である。コントローラー５２０及び／若しくはＲＡＭ５４０は、コントローラー５２０が画像データを、例えばディスプレイドライバーである、ディスプレイ入力要求と互換性であるフォーマット内に処理する表示５６０のためのコントローラーの一部分である。コントローラー５２０が表示５６０のためのコントローラーから分離している場合、コントローラー５２０は、ディスプレイコントローラーの入力要求と互換性である、フォーマット内に画像データを処理する。
【００２９】
インターフェイス２３０は、ＰＣの部分５８０にコントローラー５２０によって提供される画像を転送するために、任意で、ＰＣインターフェイス５７０を含むかもしれない。次いで、画像は、後の検索、印刷、見ることのためにＰＣによって達成されるかもしれない。
【００３０】
図３を参照するに、本発明の代替となる実施態様が示されている。図３において、インターフェイス３３０は、画像の転送及び制御のために上記で記載のようなカメラ２４０を伴い通信する無線通信ポート２２０を含んでいる。遠隔コントローラー３２０は、キーパッド１１０に関して上記に記載される機能を実行するためにモニター３００に制御を提供する。遠隔コントローラー３２０は、無線通信ポート２２０を伴い無線通信する。制御はまた、無線通信を介してカメラにて獲得される。通信手段は、ＲＦ、ＩＲ、若しくは当業者によって既知の手段である。インターフェイス３３０の別の内部の詳細と操作は、例えば、図６に示されているものと類似しており、上記に記載されている。図６のキーパッド１１０は、遠隔コントローラー３２０が採用されているため、この実施態様では任意である。
【００３１】
図４を参照するに、本発明のまたさらに別の実施態様が示されている。図４において、インターフェイス４３０は、図１及び無線通信ポート２２０に関して上記に記載のように記憶装置１４０に記憶される画像の読み取りを容易にするリーダー１２０を含んでいる。遠隔コントローラー３２０は、図３に関して上記に記載のようにモニター３００上の遠隔制御を提供する。インターフェイス４３０の別の内部の詳細と操作は、例えば、遠隔コントローラー３２０を介して制御を提供する図６の無線通信ポート２２０、レシーバー６００及びデコーダー６１０と置き換わるキーパッドを伴う図５に示されているものと類似している。かかる形態は、図７に例証されている。
【００３２】
上記の図３及び４の実施態様はまた、上記に記載のようにアーカイブするためにＰＣに画像を転送する機能を任意で含んでいる。接続は、好ましくはケーブルを介してＰＣのポートに接続されている。
【００３３】
図８を参照するに、本発明の代替となる実施態様が示されている。図８において、本発明は、ケーブル８４０を介して従来若しくは専用モニター８００の何れかと作動するために適応される。インターフェイス８３０は、カメラ２４０と通信する無線通信ポート２２０及び画像の転送及び制御のための上記に記載のような無線遠隔コントローラー３２０を含んでいる。キーパッド（示されていない）は、モニター８００に局所的な制御を提供するためにインターフェイス８３０に任意で組み入れられるかもしれない。制御はまた、無線通信を介してカメラ２４０及び／もしくは無線遠隔コントローラー３２０で獲得されるかもしれない。通信手段は、ＲＦ、ＩＲ、若しくは当業者によって既知の手段である。インターフェイス８３０の別の内部の詳細は、例えば、図６に示されているものと類似しており、上記に記載されている。図６の表示５６０はこの実施態様のモニター８００に対応し、インターフェイス２３０は、ケーブル８４０を介して表示５６０（モニター８００）に接続しているインターフェイス２３０（インターフェイス８３０）を伴うインターフェイス８３０に対応する。
【００３４】
ここで、モニター８００は、従来のＶＧＡケーブルを介して接続される従来のコンピューターモニターであるかもしれない。インターフェイス８３０は、モニター８００のみに接続するか、若しくはＰＣ（示されていない）及びモニター８００の両者に接続するかもしれない。両者に接続している事例において、インターフェイス８３０は、イン−ライン配置を介してＰＣを伴いモニターを共有する。すなわち、第二ケーブルはインターフェイス８３０及びＰＣとの間で接続されて、ＰＣからのビデオ信号は、インターフェイス８３０が活性化していないか若しくは休止している場合、インターフェイス８３０を通過して直接モニターに向かう（若しくはインターフェイス内で緩衝されて、次いで通過）ように許容される。使用者が機能を活性化することによってインターフェイス８３０を活性化する場合、ＰＣへのラインは活性が落ちて、モニター８００に対する単独の制御を仮定するインターフェイス８３０を許容している。
【００３５】
代替として、モニター８００は専用化されて、ビデオ信号に加えて、インターフェイス８３０及びモニター８００との間に増大した通信を許容する。例えば、画像は記憶のためにモニター８００にダウンロードされるかもしれない。
【００３６】
モニター８００はまた、テレビかもしれない。かかる事例において、ビデオケーブルは、ＲＣＡ若しくはＳ−ビデオのように供給されるかもしれない。かかる事例において、インターフェイス８３０のコントローラー５２０は、適切なフォーマットでビデオ信号を提供するために作用する。インターフェイス８３０のユーザーの操作は、別の方法で同じである。
【００３７】
したがって、本発明と一致するモニター（若しくはインターフェイス）は、使用者がモニターで直接的に高解像度の写真画像を見ることを許容し、ＰＣを使用せずに見るために写真を拡大することを許容する。結果として、使用者は、モニターに画像を転送し及び見る以前に、ＰＣにブートアップして、専用のソフトウェアをロードする必要がなく、それによって利便的に使用者の時間を節約し、及びＰＣの余分なコストを節約する。加えて、使用者は本発明のインターフェイスに組み入れられて設計されたモニターを使用するかもしれない、一方でモニター内のハードウェア資源の共有、及びこの目的のために高価な専用の見る装置を購入する必要がない。
【００３８】
本発明が好ましい実施態様に詳細に記述されている一方で、それらの実施態様は単なる典型的な応用を表わす。このように、追加された請求項によって確定されるような本発明の範囲及び趣旨内に留まる一方で、当業者により多くの変化がなされることは明白に理解される。
【図面の簡単な説明】
【図１】
本発明の一つの実施態様と一致する独立型モニターを例証する。
【図２】
本発明の別の実施態様と一致する独立型モニターを例証する。
【図３】
本発明のまた別の実施態様と一致する独立型モニターを例証する。
【図４】
本発明のさらにまた別の実施態様と一致する独立型モニターを例証する。
【図５】
本発明と一致する記憶装置インターフェイスを例証するブロック図形である。
【図６】
本発明と一致する無線通信インターフェイスを例証するブロック図形である。
【図７】
本発明と一致する遠隔制御機能を伴う記憶装置インターフェイスを例証するブロック図形である。
【図８】
本発明と一致する個別の包囲での無線通信インターフェイスを例証するブロック図形である。
【図５】
2004509527.tif 000003
【図６】
2004509527.tif 000004
【図７】
2004509527.tif 000005
【国際公開パンフレット】
2004509527.tif 000006
2004509527.tif 000007
2004509527.tif 000008
2004509527.tif 000009
2004509527.tif 000010
2004509527.tif 000011
2004509527.tif 000012
2004509527.tif 000013
2004509527.tif 000014
2004509527.tif 000015
2004509527.tif 000016
2004509527.tif 000017
2004509527.tif 000018
2004509527.tif 000019
2004509527.tif 000020
2004509527.tif 000021
2004509527.tif 000022
2004509527.tif 000023
2004509527.tif 000024
2004509527.tif 000025
2004509527.tif 000026
【国際調査報告】
2004509527.tif 000027
2004509527.tif 000028